(57)【要約】      （修正有）【課題】携帯電話機から電話番号を利用して、携帯電話のｗｅｂポータル検索サイトを介さずに、ホームページへダイレクトにアクセス可能とする。【解決手段】携帯電話機にＵ−Ｓｅｎｄ（発信）ボタンを付加し、該ボタンの操作、電話番号のダイヤルにより、携帯電話機からＵ発信符号を送出する。携帯電話網はＵ発信符号を受信するとユビキタス・サーバへ接続し、該ユビキタス・サーバでは受信した電話番号からホームページアドレスに変換し、該ホームページへ接続する。【選択図】図３
2008028972.tif 000002
【特許請求の範囲】
【請求項１】
携帯電話機１００・からの電話番号によるユビキタスネットへのアクセスを可能にするための携帯電話機に付加するＵ−Ｓｅｎｄ（発信）ボタン１０１とＵ発信符号送出モジュール１０２に関する。
携帯電話機にＵ発信ボタンを付加したものを図１に示す。
【請求項２】
携帯電話網で、携帯電話からの発信が電話接続への発信符号かＵ接続へのＵ発信符号かを受信装置で識別し、Ｕ符号を受信するとユビキタス・システムのサーバーに接続し、発信音を携帯電話に返信に関する。
【請求項３】
発信者は、アナログ情報誌に記載のＵ電話番号および電話番号帳に掲載されているＵ電話番号をＵ−Ｓｎｄ（発信）ボタンを使いダイヤルするとダイレクトでホームページ及びユビキタス・端末装置へ接続に関する。
【請求項４】
アナログ情報誌、電話番号・ホームページアドレス帳２００とする方法を発明した。電話番号をホームページアドレス帳の記載・掲載方法２００を図２−１，２−２，２−３に関する。
【請求項５】
携帯電話機からのＵ発信符号を受信すると携帯網３００の受信装置４００は、Ｕ発信符号を識別しユビキタス・システム５００への接続に関する。
【請求項６】
受付センター７００では、ユーザーから電話番号対ホームページアドレスに変換する申し込みを受け付け、受付センターのシステムのサーバー７０１に、登録されているかをチェックし、オーダー処理を行う、登録されたＵ電話番号は、アクセスがあればユビキタス・システムでホームページアドレスＵＲＬ／／ｗｗｗ．□□□．ｃｏｍ／／□□／に変換し、インターネット８００を経由して、企業のホームページ９００等の接続に関する。
【請求項７】
受付センターのシステム７００では、ホームページ開設ユーザーからの契約電話番号とホームページアドレスの変換の申し込みを受け、オーダーにより、受付センターのシステムのサーバー７０１に登録、運用に関する。
【発明の詳細な説明】
【技術分野】
【０００１】本発明は、携帯電話機から電話番号でホームページへアクセスできるようにするため携帯電話機１００に付加するＵ−Ｓｅｎｄ（発信）ボタン１０１とＵ発信符号送出モジュール１０２のソフト・ハード機器の開発である。
ユビキタス・システム５００では、Ｕ発信符号を受信すると発信者に発信音を返信するとともに、受付センターのシステムに接続するプログラム開発。
登録されている電話番号に着信があった場合は、ホームページアドレスに変換するモジュール７０２により、ホームページアドレスに変換して、７０３網制御モジュールにより、インターネット８００を経由してアクセスされた企業のホームページ９００へ接続するプログラム開発である。
登録されていないＵ電話番号に、アクセスがあった場合は、この番号はＵ接続に登録されていませんというメッセージを受付センターのシステムから携帯電話に返信する。
【背景技術】
【０００２】携帯電話からのホームページアクセス方法は、ホームページアドレスをメニューによりＵＲＬ／／ｗｗｗ．□□□．ｃｏｍ／□□／を入力し接続する方法である。【００３】携帯電話のＱＲコードリーダで読み取り接続する方法である。【００４】Ｌ２００３００６３８７
インターネット検索サイトからＵＲＬに変わり電話番号でホームページへ接続するこの方法は、特定のＷｅｂサイト上で電話番号をサーバーに登録し、管理サーバ上にある電話番号とＵＲＬの対応情報により、電話番号と名前住所などを関連付け記憶させたものである。
この検索システムは、Ｗｅｂサイトのメニュー画面からホームページへ検索する場合にそのサイトに特化したホームページ検索であり限定されたもので、該サイトに登録されている電話番号とＵＲＬを対応させただけで、電話番号でアクセスできる接続形態がまったく異なる。
一般インターネット利用者は上記の特定のインターネット検索サイト画面にアクセスし、電話番号を入力し、ＵＲＬアドレスがデータベースにあるかを確認し、登録されている電話番号を入力するのであって、入力処理、画面遷移を複雑にするだけである。
【発明の開示】
【発明が解決しようとする課題】携帯電話から電話番号を利用し、ダイレクトで、携帯電話のｗｅｂポータル検索サイトを介さず、電話番号により企業のホームページやユビキタス・ネットワークに接続された各種制御装置にアクセスできる標準化を行い、利用者の利便性を改善する。
【課題を解決するための手段】携帯電話機にＵ発信ボタンを付加し、Ｕ発信符号を携帯電話から送出するハード・ソフトの開発を携帯電話機開発メーカーに情報を開示する。
各携帯通信事業者は、Ｕ発信符号を受信した場合、ユビキタス・サーバーへ接続、既存の電話交換網との接続を発信符号の違いで識別する受信装置の情報開示と接続形態を提案する。
【発明の効果】携帯電話から電話番号によるダイレクトにホームページアクセスするコミュニケーション機能によりインターネットを通じたコンテンツ配信の更なる発展とモバイル化の進展なよる電子商取引が活発になり、ユビキタスエコノミーによる経済成長に大きく貢献できる。
【発明を実施するための最良の形態】携帯電話機Ｕ発信符号ボタン付きの発信符号の標準化を行い開発する。
携帯電話通信事業者は、携帯電話機からの異なる二つの発信符号を、識別する、受信装置を開発し、音声通話の接続とインターネットの接続を受信装置で行う。
携帯電話にインターネットの接続を通じたコンテンツ配信を行うコミュニケーションサービスを共通機能とした、利用者が使いたい機能を組み合わせることができる次世代の携帯情端末としての機能拡大を図る。
日本メーカーの携帯電話機および通信事業者の国際的シェア拡大に向け、国策として開発を行う。
【実施例】一般消費者は、ライフスタイルで商品・サービスをまず、アナログ情報冊子から選び掲載されている電話番号により、インターネットからホームページへアクセスし、コンテンツ配信による、気に入った商品・サービスを電子商取引で行う。
【産業上の利用可能性】アナログ情報誌とＩＴ技術の双方の強みを融合さす、携帯電話機から電話番号によるホームページへのダイレクトにアクセスする方法は、ＢｔｏＢ，ＢｔｏＣによる電子商取引を無限に拡大する可能性をもっている。
【図面の簡単な説明】携帯電話機１００のＵ−Ｓｅｎｄ（発信）追加ボタン
【図１】携帯電話利用者は、アナログ情報誌に掲載されたＵ電話番号および、Ｕ電話番号帳に掲載されている電話番号を見て、操作はＵ発信ボタンで電話番号をダイヤルすると登録されている該当企業のホームページへダイレクトで接続、ディスプレイ画面に表示される。
【電話番号・アドレス帳と情報誌の記載・掲載例】
【図２−１，２−２，２−３】
Ｕ電話番号帳と情報誌に記載・掲載するＵ電話番号の記載・掲載方法を示す。
【携帯電話機からのシステム・ネットワーク接続構成図】
【図３】
携帯電話機からＵ電話番号によりホームページに接続するシステムとネットワークの構成を示す。
【携帯電話・ＰＣから電話番号によるホームページにアクセスするビジネスモデル】
【図４】
情報誌、Ｕ電話番号帳から自分がほしい商品・サービス・施設の利用に関するコンテンツ情報を携帯電話から企業のホームページに電話番号でダイレクトにアクセスし、電子商取引を行う例を示している。
【符号の説明】
１００；携帯電話機
１０１；Ｕ発信ボタン
１０２；Ｕ符号送出モジュール
２００；Ｕ電話番号掲載情報誌、Ｕ電話番号帳
３００；携帯網
４００；携帯電話受信装置
５００；ユビキタス・システム
５０１；ユビキタス・サーバー
６００；ＬＡＮおよび専用線
７００；受付センターシステム
７０１；受付センターシステム・サーバー
７０２；受付センターシステム・変換モジュール
７０３；受付センターシステム・網制御モジュール
８００；インターネット
９００；ホームページ
【図１】
2008028972.tif 000003
【図２−１】
2008028972.tif 000004
【図２−２】
2008028972.tif 000005
【図３】
2008028972.tif 000006
【図３】
2008028972.tif 000007
【図４】
2008028972.tif 000008
【手続補正書】
【提出日】平成18年9月29日(2006.9.29)
【手続補正１】
【補正対象書類名】図面
【補正対象項目名】全図
【補正方法】変更
【補正の内容】
【図１】
2008028972.tif 000009
【図２−１】
2008028972.tif 000010
【図２−２】
2008028972.tif 000011
【図２−３】
2008028972.tif 000012
【図３】
2008028972.tif 000013
【図４】
2008028972.tif 000014